(57)【特許請求の範囲】
【請求項１】
浴槽からの排水が流れる浴槽排水トラップ部と、浴槽を設置する浴槽用床パンからの排水が流れる浴槽床パン用排水トラップ部とを備え、浴槽排水トラップ部から排出される排水が流れる第１排水路と、浴槽床パン用排水トラップ部から排出される排水が流れる第２排水路とを合流部で合流させて共通の排水管で排水するものであって、浴槽床パン用排水トラップ部に封水用水溜りを設け、該封水用水溜りを、上流側水溜り部と、下流側水溜り部と、上流側水溜り部の下部と下流側水溜り部の下部とを連通する連通部とで構成し、下流側水溜り部の水面の面積を上流側水溜り部の水面の面積よりも大きくし、該下流側水溜り部の一側上部に第２排水路の入口部を設け、該入口部の下端位置を下流側水溜り部の水面レベルとなる上端位置とし、一端の側部が上記入口部に連通接続し且つ他端の下端開口部が上記下流側水溜り部の水面の一部に小間隙を介して対向する排出ガイド部を設けて成ることを特徴とする浴室の排水構造。
【請求項２】
下流側水溜り部の水面の大部分を小隙間を介して天井部で覆うと共に下流側水溜り部の水面の天井部で覆われていない部分の上方に小間隙を介して排出ガイド部の下端開口部を対向させて成ることを請求項１記載の浴室の排水構造。
【請求項３】
下流側水溜り部における水面から底部までの深さを、排出ガイド部の下端開口部と対向する部分が他の部分よりも浅くなっていることを特徴とする特徴とする請求項１又は請求項２記載の浴室の排水構造。
【発明の詳細な説明】
【技術分野】
【０００１】
本発明は、浴槽からの排水、浴槽用床パンからの排水を合流させて排水するための技術に関するものである。
【背景技術】
【０００２】
従来から浴室ユニットなどの浴室における排水としては、浴槽からの排水、浴槽を設置している浴槽用床パンからの排水を途中で合流させて一緒にして排水しており、このような排水の従来例として特許文献１が知られている。
【０００３】
上記特許文献１に示された従来例にあっては、浴槽の排水を行う浴槽排水トラップ部内を仕切りにより仕切って浴槽排水トラップ部とは区画された浴槽床パン用排水トラップ部を設け、浴槽排水トラップ部の出口への排水管路の接続部分付近において排水管路内に浴槽床パン用排水トラップ部の出口を連通して、浴槽排水トラップ部からの排水と、浴槽床パン用排水トラップ部からの排水とを合流させるようになっている。
【０００４】
上記従来例において、浴槽床パン用排水トラップ部には封水用水溜りが設けてあり、該封水用水溜りは封水用仕切りで上流側水溜り部と下流側水溜り部とに仕切られていると共に封水用仕切りの下端部に上流側水溜り部と下流側水溜り部とを連通させるための連通部を形成している。そして、下流側水溜り部の水面の面積が上流側水溜り部の水面の面積よりも大きくしてある。ここで、浴槽からの大量の排水を浴槽排水トラップ部を介して排水管路に流すと浴槽床パン用排水トラップ部の下流側水溜り部側の水面上方の空間が負圧となって、浴槽床パン用排水トラップ部内の封水用水溜りの水が引かれて流出することで、浴槽床パン用排水トラップ部内の封水が破れてしまうという問題がある。そのため、下流側水溜り部の水面の面積を上流側水溜り部の水面の面積よりも大きくすることで、下流側水溜り部の水面に負圧が作用した際に引かれ難いようにしているのである。
【０００５】
しかしながら、上記従来例のように下流側水溜り部の水面の面積を上流側水溜り部の水面の面積よりも大きくしてあると、負圧が解消された場合、面積の大きい下流側水溜り部の全面に逆流水が流れるので、浴槽床パン用排水トラップ部に逆流する水の量が多くなり、上流側水たまり部の小面積の水面から水が噴出するなどの恐れがある。
【特許文献１】特開２００５−２８２１２３号公報
【発明の開示】
【発明が解決しようとする課題】
【０００６】
本発明は上記の従来の問題点に鑑みて発明したものであって、浴槽排水トラップ部から浴槽の大量の排水を流す際に、負圧により浴槽床パン用排水トラップ部内の水が引かれて流出し難くすると共に、負圧が解除された際に浴槽排水トラップ部からの排水が浴槽床パン用排水トラップ部に逆流し難くすることができる浴室の排水構造を提供することを課題とするものである。
【課題を解決するための手段】
【０００７】
上記課題を解決するために本発明に係る浴室の排水構造は、浴槽１からの排水が流れる浴槽排水トラップ部２と、浴槽１を設置する浴槽用床パン３からの排水が流れる浴槽床パン用排水トラップ部４とを備え、浴槽排水トラップ部２から排出される排水が流れる第１排水路７と、浴槽床パン用排水トラップ部４から排出される排水が流れる第２排水路８とを合流部１０で合流させて共通の排水管１１で排水するものであって、浴槽床パン用排水トラップ部４に封水用水溜り４ａを設け、該封水用水溜り４ａを、上流側水溜り部４ｃと、下流側水溜り部４ｄと、上流側水溜り部４ｃの下部と下流側水溜り部４ｄの下部とを連通する連通部４ｅとで構成し、下流側水溜り部４ｄの水面Ｗ１の面積を上流側水溜り部４ｃの水面Ｗ２の面積よりも大きくし、該下流側水溜り部４ｄの一側上部に第２排水路８の入口部８ａを設け、該入口部８ａの下端位置を下流側水溜り部４ｄの水面Ｗ１レベルとなる上端位置とし、一端の側部が上記入口部８ａに連通接続し且つ他端の下端開口部４ｇが上記下流側水溜り部４ｄの水面Ｗ１の一部に小間隙４ｈを介して対向する排出ガイド部４ｉを設けて成ることを特徴とするものである。
【０００８】
このように下流側水溜り部４ｄの水面Ｗ１の面積を上流側水溜り部４ｃの水面Ｗ２の面積よりも大きくしてあるので、浴槽１からの大量の排水が浴槽排水トラップ部２を経て合流部１０に流れる際に負圧が発生しても浴槽床パン用排水トラップ部４内の水が引かれ難くでき、また、下流側水溜り部４ｄの一側上部に入口部８ａを設け、該入口部８ａの下端位置を下流側水溜り部４ｄの水面Ｗ１レベルとなる上端位置とし、一端の側部が上記入口部８ａに連通接続し且つ他端の下端開口部４ｇが上記下流側水溜り部４ｄの水面Ｗ１の一部に小間隙４ｈを介して対向する排出ガイド部４ｉを設けてあるので、負圧が解消された際に、浴槽１からの排水が合流部１０から浴槽床パン用排水トラップ部４内に逆流しようとしても、逆流水は下流側水溜り部４ｄの水面Ｗ１の一部に小間隙４ｈを介して対向する排出ガイド部４ｉからしか逆流せず、したがって下流側水溜り部４ｄの水面Ｗ１が大きいにもかかわらず逆流する水量が極めて少なく、逆流防止効果が優れたものとなる。
【０００９】
また、下流側水溜り部４ｄの水面Ｗ１の大部分を小隙間４ｊを介して天井部４ｋで覆うと共に下流側水溜り部４ｄの水面Ｗ１の天井部４ｋで覆われていない部分の上方に小間隙４ｈを介して排出ガイド部４ｉの下端開口部４ｇを対向させることが好ましい。
【００１０】
このような構成とすることで、排出ガイド部４ｉの下端開口部４ｇと下流側水溜り部４ｄの水面Ｗ１との間の小間隙４ｈから排出ガイド部４ｉから逆流する水が流れ込んで下流側水溜り部４ｄの水面Ｗ１の全面に逆流しようとしても、下流側水溜り部４ｄの水面Ｗ１の大部分を小隙間４ｊを介して天井部４ｋで覆ってあるので、下流側水溜り部４ｄの水面Ｗ１の全面に逆流する水量が極めて少なくなる。
【００１１】
また、下流側水溜り部４ｄにおける水面Ｗ１から底部４ｆまでの深さを、排出ガイド部４ｉの下端開口部４ｇと対向する部分が他の部分よりも浅くなっていることが好ましい。
【００１２】
このような構成とすることで、排出ガイド部４ｉの下端開口部４ｇから逆流する水が底部４ｆに当たるため、逆流する水量を少なくできる。
【発明の効果】
【００１３】
本発明は、上記のように浴槽排水トラップ部から浴槽の大量の排水を流す際に、負圧が発生しても浴槽床パン用排水トラップ部内の水が引かれて流出し難くできると共に、負圧が解除された際に浴槽排水トラップ部からの排水が浴槽床パン用排水トラップ部に逆流し難くすることができるという利点がある。
【発明を実施するための最良の形態】
【００１４】
以下、本発明を添付図面に示す実施形態に基いて説明する。
【００１５】
浴室を構成する浴室ユニットＡは、浴槽１を設置する浴槽用床パン３と洗い場床パン５とで構成される床パンの周囲に、壁パネル及びドアを有する出入り口枠とを立設し、壁パネル及び出入り口枠で囲まれた部分の上端部に天井パネルを配設して構成してある。
【００１６】
該浴室ユニットＡからの排水は、浴槽１からの湯水の排水、浴槽１を設置する浴槽用床パン３からの湯水の排水、洗い場床パン５からの湯水の排水の３種類の排水があり、本発明においては、この３種類の排水がそれぞれ個別に流れる３種類のトラップ、つまり、浴槽１からの排水が流れる浴槽排水トラップ部２と、浴槽１を設置する浴槽用床パン３からの排水が流れる浴槽床パン用排水トラップ部４と、洗い場床パン５からの排水が流れる洗い場排水トラップ部６とを備えている。
【００１７】
添付図面に示す実施形態においては、以下に説明するトラップ装置２２に浴槽排水トラップ部２と、浴槽床パン用排水トラップ部４と、洗い場排水トラップ部６が設けてある。
【００１８】
トラップ装置２２は図２乃至図４に示すように、浴槽側トラップ本体部２３と、浴槽側固定用上筒２４と、浴槽側封水筒２５と、洗い場側トラップ本体部１６と、本体蓋４３と、洗い場側固定用上筒１５と、洗い場側封水筒１７とで構成してある。
【００１９】
浴槽側トラップ本体部２３は浴槽排水トラップ部２の主体となるもので図７に示すように上方が開口した有底円筒状をしており、上端開口部の外周にフランジ部２６を一体に設けてあり、また、有底円筒状をした浴槽側トラップ本体部２３の側壁には浴槽側トラップ本体部２３内と連通する第１排水筒部２７が外方に横向きに一体に突設してあり、また、浴槽側トラップ本体部２３の内周上端部には雌ねじ部が形成してあり、また、浴槽側トラップ本体部２３の底部の中心から偏芯した位置に上方に向けて内筒部２８が上方に向けて一体に突設してあり、更に、一端部が内筒部２８内に開口した第２排水筒部２９が浴槽側トラップ本体部２３の底部に沿って浴槽側トラップ本体部２３の側壁を貫通して外方に横方向に一体に突設してある。上記第２排水筒部２９の浴槽側トラップ本体部２３の底部に沿った部分においては図２に示すように該浴槽側トラップ本体部２３の底部が第２排水筒部２９の底部を兼用している。また、浴槽側トラップ本体部２３の底部には複数の突起部５３が上方に向けて突設してあり、突起部５３の上面と第２排水筒部２９の上記浴槽側トラップ本体部２３の底部に沿った部分の上面とは同一レベルとなっている。
【００２０】
浴槽側固定用上筒２４は上端にフランジ部３０を一体に設けてあると共に外周部に雄ねじ部を設けてある。浴槽側固定用上筒２４は浴槽用床パン３に設けた孔３１に上方から挿入し、浴槽用床パン３の下面側において上開口が上記孔３１と連通するように配置した浴槽側トラップ本体部２３の内周上端部の雌ねじ部に螺合して、浴槽用床パン３を上下からフランジ部３０、２６で挟着することで、図１に示すように浴槽用床パン３に浴槽側トラップ本体部２３と浴槽側固定用上筒２４とを固着するようになっている。
【００２１】
浴槽側封水筒２５は図８に示すように上端部が下部よりも外径が大きいはめ込み部２５ａとなっており、はめ込み部２５ａの外周にはパッキン３３が設けてあり、浴槽側封水筒２５の上端は一体に形成した蓋板３２により閉塞してあり、該蓋板３２には蓋板３２から偏芯した位置に浴槽用排水孔３４と床パン用排水孔３５とが設けてあり、図２に示すように床パン用排水孔３５から下方に垂下筒部３６が一体に垂設してある。
【００２２】
浴槽側封水筒２５は上記浴槽側固定用上筒２４に上方から差し込まれてはめ込み部２５ａに設けたパッキン３３が浴槽側固定用上筒２４の内周面に圧接されることで気密的はめ込まれる。この場合、図２に示すように浴槽側封水筒２５の下端が突起部５３の上面と第２排水筒部２９の浴槽側トラップ本体部２３の底部に沿った部分の上面とに当たるまで浴槽側封水筒２５を押し込むことで、確実に浴槽側封水筒２５の下端の位置決めができて一定の封水高さを確保できる。したがって、浴槽側封水筒２５の取付に当たって浴槽側固定用上筒２４に螺合により取付けるものは螺合深さの違いにより封水高さが異なるので、この封水高さのばらつきがあっても、法律で定められている封水高さ（５ｃｍ）を確保できるように、浴槽側封水筒２５の長さを予め余裕を持たせて一定長さ余分に長いものとしなければならない従来例に比べ、浴槽側封水筒２５の長さを短くしても法律で定められている封水高さ（５ｃｍ）を確保でき、従って、装置の高さを低く抑えることができて薄型化がはかれることになる。
【００２３】
上記のように浴槽側封水筒２５を浴槽側固定用上筒２４に気密的にはめ込むことで、浴槽側封水筒２５の下端と浴槽側トラップ本体部２３の底部との間に、浴槽側封水筒２５の内部と、浴槽側トラップ本体部２３の内面と浴槽側封水筒２５の外面との間の隙間３７とを連通する連通部３８が形成してあり、浴槽用排水孔３４、浴槽側封水筒２５の内部、連通部３８、第１排水筒部２７が連通している。
【００２４】
また、浴槽側封水筒２５を浴槽側固定用上筒２４に気密的にはめ込んだ状態で、浴槽側封水筒２５の蓋板３２から垂下した垂下筒部３６が内筒部２８にはめ込まれ、垂下筒部３６と内筒部２８又は内筒部２８と蓋板３２の下面との間にパッキン４０が介在されて気密的に接続され、床パン用排水孔３５、垂下筒部３６、内筒部２８、第２排水筒部２９が連通している。
【００２５】
洗い場側トラップ本体部１６は図９に示すように上方が開口した有底円筒状をしており、この洗い場側トラップ本体部１６の下部に外周部の片側半分に沿って略Ｌ型筒状をした接続部２０の立ち上り筒部２０ａが一体に形成してあり、この立ち上がり筒部２０ａは上方ほど断面積が大きくなっており、この立ち上がり筒部２０ａの上開口に連通するように洗い場側トラップ本体部１６の上部外周部の片側半分に沿って第１排水路７が一体に形成してある。
【００２６】
また、洗い場側トラップ本体部１６の上部外周部の他方の片側半部に沿って洗い場側トラップ本体部１６と連通する上方が開口した溝状をした第３排水路９が一体に形成してあり、第３排水路９の外側に更に略Ｌ型筒状をした接続部２１の立ち上り筒部２１ａが一体に形成してあり、更に、接続部２１の立ち上がり筒部２１ａの下流側端部に連続して第２排水路８が一体に形成してある。
【００２７】
上記第１排水路７、第２排水路８、第３排水路９はほぼ同じレベルで横方向に並設してある。第１排水路７、第２排水路８、第３排水路９の下流側端部は一箇所に集まって洗い場側トラップ本体部１６の一端部に設けた合流部１０において合流している。
【００２８】
上記溝状をした第１排水路７、立ち上がり筒部２１ａ、立ち上がり筒部２１ａに連通接続した第２排水路８、第３排水路９を一体に形成した有底筒状をした洗い場側トラップ本体部１６の上端部には図１０に示すような本体蓋４３が取着され、溝状をした第１排水路７、第２排水路８、第３排水路９の上開口が閉じられ、本体蓋４３に設けた孔４４が有底円筒状の洗い場側トラップ本体部１６の上開口と連通している。
【００２９】
上記接続部２０の横筒部が前述の浴槽側トラップ本体部２３から横方向に突設した第１排水筒部２７に連通接続してあり、また、接続部２１が浴槽側トラップ本体部２３から横方向に突設した第１排水筒部２７に連通接続してある。
【００３０】
接続部２０の上端である第１排水路７との連通部分のレベルは突起部５３の上面と第２排水筒部２９の浴槽側トラップ本体部２３の底部に沿った部分の上面とに当接して位置決めされる浴槽側封水筒２５の下端から一定高さ高い（つまり、法律で定められた封水高さである５ｃｍ、又は５ｃｍよりも僅かに高い）レベルとなっている。したがって、浴槽側封水筒２５の下端と浴槽側トラップ本体部２３の底部との間の連通部３８を介して浴槽側封水筒２５の内外に連通する封水のための水溜まりが形成されることで浴槽排水トラップ部２が構成される。
【００３１】
また、接続部２１の上端である第２排水路８との連通部分のレベルは垂下筒部３６の下端部の第２排水筒部２９との連通部分から一定の高さ（つまり、法律で定められた封水高さである５ｃｍ、又は５ｃｍよりも僅かに高い）レベルとなっている。したがって、第２排水筒部２９を最下端として内筒部２８、第２排水筒部２９、Ｌ型筒状をした接続部２１にわたって封水用水溜り４ａが形成されることで浴槽床パン用排水トラップ部４が構成される。
【００３２】
ここで、図３に示すように、上記浴槽床パン排水トラップ部４の封水用水貯まり４ａは、内筒部２８が上流側水溜り部４ｃとなり、Ｌ型筒状をした接続部２１が下流側水溜り部４ｄとなり、第２排水筒部２９が上流側水溜り部４ｃの下部と下流側水溜り部４ｄの下部とを連通する連通部４ｅとなっている。
【００３３】
下流側水溜り部４ｄを構成するＬ型筒状をした接続部２１の立ち上り筒部２１ａは第２排水路８に連通するように一体形成してあり、この立ち上がり筒部２１ａは図３に示すように上方ほど断面積が大きくなっており、封水のために水が溜まった状態で下流側水溜り部４ｄの水面Ｗ１の面積（つまりに立ち上がり筒部２１ａの上開口の開口面積）が、上流側水溜り部４ｃの水面Ｗ２の面積（つまり）内筒部２８の上開口の開口面積）よりも大きくなっている。図３に示す実施形態では、下流側水溜り部４ｄの底部４ｆ（立ち上り筒部２１ａの底面部）が連通部４ｅ側程低く、連通部４ｅ側から離れに従って次第に高くなるように傾斜してその先端は下流側水溜り部４ｄの上端に至っている。下流側水溜り部４ｄの一側である上記傾斜した底部２ｋが下流側水溜り部４ｄの上端まで至った部分の上部に第２排水路８の入口部８ａが形成してあり、この第２排水路８の入口部８ａの下端位置が下流側水溜り部４ｄの水面Ｗ１レベル、つまり、下流側水溜り部４ｄの上端位置となっている。第２排水路８の入口部８ａには上流側に向けて排出ガイド部４ｉが一体に突設してある。
【００３４】
この排出ガイド部４ｉは一端の側部が入口部８ａに連通するように一体に接続してあり、他端の下端開口部４ｇが下方に開口して下流側水溜り部４ｄの水面Ｗ１の一部に小間隙４ｈを介して対向している。ここで、下流側水溜り部４ｄの底部４ｆが前述のように傾斜しているので下流側水溜り部４ｄにおける水面から底部４ｆまでの深さは、排出ガイド部４ｉの下端開口部４ｇと対向する部分が他の部分よりも最も浅くなっている。
【００３５】
また、下流側水溜り部４ｄの水面Ｗ１の大部分（つまり排出ガイド部４ｉの下端開口部４ｇと対向している部分を除いた部分）の上方に小隙間４ｊを介して天井部４ｋを設けてある。この天井部４ｋは入口部８ａの上端よりも下方に設けてあり、好ましくは図３に示すように排出ガイド部４ｉと同じ又はほぼ同じ高さ位置に設ける（つまり、小隙間４ｊと小間隙４ｈとが同じ上下長さとなっている）。下流側水溜り部４ｄの水面Ｗ１の大部分を小隙間４ｊを介して覆う天井部４ｋは図１０に示すように本体蓋４３に凹部４３ａを設け、この本体蓋４３の凹部４３ａの底が上記天井部４ｋを構成している。
【００３６】
また、上記第１排水路７、第２排水路８、第３排水路９の各下流側端がそれぞれ出口部１２、１３、１４となっていて３つの出口部１２、１３、１４が一箇所に集まって筒状をした合流部１０に開口して連通している。この合流部１０には排水管１１が接続される。なお、図の実施形態では筒状の合流部１０内に排水管１１の上流側端部がはめ込み接続されるので排水管１１の端部が実質的な排水の合流部分となる。つまり、３つの出口部１２、１３、１４が一箇所の合流部１０で合流して該合流部１０が排水管１１との接続部を兼用している。
【００３７】
ここで、各出口部１２、１３、１４から合流部１０への排水の排出方向がほぼ平行となっている。
【００３８】
また、横に並んだ３つの出口部１２、１３、１４の配列は、第３排水路９の出口部１４の横方向の一側に第１排水路７の出口部１２が横方向並設しており、第３排水路９の出口部１４の横方向の他側に第２排水路８の出口部１３が横方向に並設している。
【００３９】
更に、図６、図９に示すように、第１排水路７の出口部１２の下端と第２排水路８の出口部１３の下端は、第３排水路９の出口部１４の下端よりも上方に位置しており、第１排水路７の出口部１２の下端及び第２排水路８の出口部１３の下端と合流部１０の底部との間には段部３９が設けてある。
【００４０】
また、洗い場側トラップ本体部１６の底部には上方に向けて突起部４５が設けてある。
【００４１】
洗い場側固定用上筒１５は上端にフランジ部４６を一体に設けてあると共に外周部に雄ねじ部を設けてある。洗い場側固定用上筒１５は洗い場床パン５に設けた孔４７に上方から挿入し、洗い場床パン５の下面側に本体蓋４３を配置して孔４４と上記孔４７とを連通させた状態で孔４４の内周の雌ねじ部に螺合することで、図１に示すように洗い場床パン５を上下からフランジ部４６と本体蓋４３とで挟着して、洗い場床パン５に洗い場側トラップ本体部１６と洗い場側固定用上筒１５とを固着するようになっている。
【００４２】
洗い場側封水筒１７は上端部が下部よりも外径が大きいはめ込み部１７ａとなっており、はめ込み部１７ａの外周にはパッキン４８が設けてあり、洗い場側封水筒１７の上端は洗い場用排水孔５０となっている。
【００４３】
洗い場側封水筒１７は上記洗い場側固定用上筒１５に上方から差し込まれてはめ込み部１７ａに設けたパッキン４８が洗い場側固定用上筒１５の内周面に圧接されることで気密的はめ込まれる。この場合、洗い場側封水筒１７の下端が突起部４５の上面に当たるまで洗い場側封水筒１７を押し込むことで、確実に洗い場側封水筒１７の下端の位置決めができて一定の封水高さを確保できる。したがって、洗い場側封水筒１７の取付に当たって洗い場側固定用上筒１５に螺合により取付けるものは螺合深さの違いにより封水高さが異なるので、この封水高さのばらつきがあっても、法律で定められている封水高さ（５ｃｍ）を確保できるように、洗い場側封水筒１７の長さを予め余裕を持たせて一定長さ余分に長いものとしなければならない従来例に比べ、洗い場側封水筒１７の長さを短くしても法律で定められている封水高さ（５ｃｍ）を確保でき、従って、装置の高さを低く抑えることができて薄型化がはかれることになる。
【００４４】
上記のように洗い場側封水筒１７を洗い場側固定用上筒１５に気密的にはめ込むことで、洗い場側封水筒１７の下端と洗い場側トラップ本体部１６の底部との間に、洗い場側封水筒１７の内部と、洗い場側トラップ本体部１６の内面と洗い場側封水筒１７の外面との間の隙間１８とを連通する連通部１９が形成されることになり、洗い場用排水孔５０、洗い場側封水筒１７の内部、連通部１９、隙間１８が連通することになる。上記隙間１８の上端は第３排水路９と連通しており、突起部４５に載置することで位置決めされた洗い場側封水筒１７の下端から上記隙間１８と第３排水路９との連通部分の最下端（つまり隙間１８と第３排水路９との間の仕切り壁１６ａの上端）までの上下長さが封水高さとなっており、その封水高さは法律で定められた封水高さである５ｃｍ、又は５ｃｍよりも僅かに高い長さとしてある。したがって、連通部１９を介して洗い場側封水筒１７の内外に連通する封水のための水溜まりが形成されることで洗い場排水トラップ部６が構成される。
【００４５】
第３排水路９の上流側は有底筒状をした洗い場側トラップ本体部１６との間の仕切り壁１６ａの上端よりも低くなっており、更に、上流側と下流側との間に段差１６ｂが形成してあって下流側は上流側より更に低くなっている。
【００４６】
浴槽１は浴槽用床パン３に載置するものであり、この場合、浴槽１の底面部に設けた排水部５１の下端部の筒部をシール部材５２を介して浴槽側封水筒２５の上端の蓋板３２に設けた浴槽用排水孔３４にはめ込む。
【００４７】
上記のような排水構造において、浴槽１からの排水が最も排水量が多く、その次に排水量が多いのは洗い場床パン５からの排水であり、浴槽用床パン３からの排水量は最も少ない。つまり、浴槽用床パン３には、浴槽１の上フランジと壁パネルとのシール部分が破れて浸入した水や、洗い場床パン５側から洗い場床パン５と浴槽用床パン３との境界部分の堤部５４を越えて浴槽用床パン３に浸入した水が排水されるため、排水量が、浴槽１や洗い場床パン５からの排水に比べると少ないのである。
【００４８】
浴槽１の排水は浴槽排水トラップ部２から第１排水路７に流れ、第１排水路７の下流側端部の出口部１２から合流部１０に流れて排水管１１へと流れ出る。洗い場床パン５の排水は洗い場排水トラップ部６から第３排水路９に流れ、第３排水路９の下流側端部の出口部１４から合流部１０に流れて排水管１１へと流れ出る。また、浴槽用床パン３の排水は浴槽床パン用排水トラップ部４から第２排水路８に流れ、第２排水路８の下流側端部の出口部１３から合流部１０に流れて排水管１１へと流れ出る。
【００４９】
このように、本発明においては、浴槽１の排水、洗い場床パン５の排水、浴槽用床パン３の排水という３つの異なる排水が、それぞれ浴槽排水トラップ部２、浴槽床パン用排水トラップ部４、洗い場排水トラップ部６で個別に封水することで異なる３箇所における排水箇所の封水を確実に行うことができることになる。また、浴槽排水トラップ部２、浴槽床パン用排水トラップ部４、洗い場排水トラップ部６からそれぞれ個別の排水路である第１、第２、第３排水路８に個別に排水し、上記３つの個別の排水路を流れる排水を一箇所の合流部１０で合流させるので、浴槽１からの排水、浴槽用床パン３からの排水、洗い場床パン５からの排水をいずれも圧力損失を少なくしてスムーズに排水でき、しかも、浴槽排水トラップ部２から流れる浴槽１からの多量の排水が浴槽用床パン３側、洗い場床パン５側に逆流し難いものとなる。
【００５０】
ところで、浴槽１から多量の排水が浴槽排水トラップ部２を経て合流部１０から排水管１１に流れると、浴槽床パン用排水トラップ部４内の封水、洗い場排水トラップ部６内の封水が負圧によって引かれようとする。この場合、浴槽床パン用排水トラップ部４は洗い場排水トラップ部６に比べて容量が小さいため負圧が作用した場合に封水が引っ張られて流れ出し、封水が破れてしまうという事態が生じやすい。そこで、本発明においては、図３に示すように下流側水溜り部４ｄの水面Ｗ１の面積を上流側水溜り部４ｃの水面Ｗ２の面積よりも大きくすることで、浴槽１からの大量の排水が浴槽排水トラップ部２を経て合流部１０に流れる際に負圧が発生しても浴槽床パン用排水トラップ部４内の水が引かれ難いようにしているのである。
【００５１】
ところで、このように、下流側水溜り部４ｄの水面Ｗ１の面積を広くすると、負圧が解消された際に、浴槽排水トラップ部２を経て合流部１０に流れ込む排水が広い水面Ｗ１の全面に逆流することになり、浴槽床パン用排水トラップ部４に逆流する水量が多くなり、水面Ｗ２の小さい上流側水溜り部４ｃから浴槽用床パン３側に逆流水が噴出すおそれがある。
【００５２】
しかしながら、本発明においては、上記のように、下流側水溜り部４ｄの一側上部に入口部８ａを設け、該入口部８ａの下端位置を下流側水溜り部４ｄの水面Ｗ１レベルとなる上端位置とし、一端の側部が上記入口部８ａに連通接続し且つ他端の下端開口部４ｇが上記下流側水溜り部４ｄの水面Ｗ１の一部に小間隙４ｈを介して対向する排出ガイド部４ｉを設けてあるので、負圧が解消された際に、浴槽１からの排水が合流部１０から浴槽床パン用排水トラップ部内に逆流しようとしても、逆流水は下流側水溜り部４ｄの水面Ｗ１の一部に小間隙４ｈを介して対向する排出ガイド部４ｉからしか逆流せず、したがって下流側水溜り部４ｄの水面Ｗ１が大きいにもかかわらず逆流する水量が極めて少なくなる。
【００５３】
この場合、図３に示すように、排出ガイド部４ｉの入口部８ａと対向する対向面４ｍが上程入口部８ａ側となるように傾斜しているので、逆流水はこの対向面４ｍに当って、跳ね返されるのでより逆流が防止されることになる。
【００５４】
また、下流側水溜り部４ｄの水面Ｗ１の大部分を小隙間４ｊを介して天井部４ｋで覆っているので、排出ガイド部４ｉの下端開口部４ｇと下流側水溜り部４ｄの水面Ｗ１との間の小間隙４ｈから排出ガイド部４ｉから逆流する水が流れ込んで下流側水溜り部４ｄの水面Ｗ１の全面に逆流しようとしても、下流側水溜り部４ｄの水面Ｗ１の大部分を小隙間４ｊを介して天井部４ｋで覆ってあるので、下流側水溜り部４ｄの水面Ｗ１の全面に逆流する水量が極めてすくなくなって全逆流水が少なくなる。
【００５５】
更に、図３に示すように、下流側水溜り部４ｄにおける水面から底部４ｆまでの深さを、排出ガイド部４ｉの下端開口部４ｇと対向する部分が他の部分よりも浅くなっているので、排出ガイド部４ｉの下端開口部４ｇから逆流する水が底部４ｆに当たるため、逆流する水量を少なくすることができる。
【００５６】
しかも、添付図面に示す実施形態のように、横方向に並設した第１排水路７、第２排水路８、第３排水路９の各下流側の出口部１２、１３、１４の合流部１０への排水の排出方向をほぼ平行とすることで、各排水路の出口部から流れる排水が別の排水路に逆流し難いものであり、更に、図９（ａ）、（ｂ）（ｃ）に示す実施形態のように各出口部１２、１３、１４の合流部１０への排水の排出方向と、合流部１０からの排水方向とが同じとなるように構成することで、よりいっそう逆流がし難くなる。
【００５７】
更に、図９（ｃ）に示すように、３つの並設した出口部１２、１３、１４のうち最も大量の排水が合流部１０に流れる第１の排水路７の出口部１２と、最も容量が小さい浴槽床パン用排水トラップ部４に接続した第２排水路８の出口部１４とが隣接せず、両者の間に浴槽床パン用排水トラップ部４よりも容量が大きい洗い場排水トラップ部６に連通する第３排水路９の出口部１４が位置するように構成してあるので、浴槽１からの排水が第１の排水路７の出口部１２から合流部１０に流れた際に逆流するような事態が生じたとしても隣りの洗い場排水トラップ部６に連通する第３排水路９の出口部１４から洗い場排水トラップ部６側に逆流することになって、遠く離れている第２排水路８の出口部１３から逆流しないようにできる。したがって、容量の小さい浴槽床パン用排水トラップ部４を越えて浴槽用床パン３に逆流するのが防止されることになる。
【００５８】
また図９（ｃ）に示すように第２排水路８の出口部１３の下端を、第３排水路９の出口部１４の下端よりも上方に位置させてあるので、浴槽１からの排水が第１の排水路７の出口部１２から合流部１０に流れた際に逆流するような事態が生じても、洗い場排水トラップ部６に連通する第３排水路９の出口部１４から洗い場排水トラップ部６側に逆流して、容量の小さい浴槽床パン用排水トラップ部４側に逆流することが阻止され、容量の小さい浴槽床パン用排水トラップ部４を越えて浴槽用床パン３に逆流するのが防止される。この場合、図９（ｃ）のように、第１の排水路７の出口部１２と、最も容量が小さい浴槽床パン用排水トラップ部４に接続した第２排水路８の出口部１４とが隣接せず、両者の間に浴槽床パン用排水トラップ部４よりも容量が大きい洗い場排水トラップ部６に連通する第３排水路９の出口部１４が位置するように構成してあることでよりいっそう浴槽床パン用排水トラップ部４側への逆流が防止できることになる。
【００５９】
また、第３排水路９の出口部１４の下端が第１排水路７の出口部１４の下端よりも下方に位置しているので、第１排水路７の出口部１４から合流部１０に最も排水流量が多い浴槽１の排水が流れているときに、洗い場床パン５からの排水を流す際、洗い場床パン５からの排水が、第１排水路７の出口部１２から合流部１０への流入位置よりも、少し低い位置から出口部１４から合流部１０にスムーズに流すことができる。また、出口部１４の下端が出口部１２よりも下方に位置しているので、第１排水路７の出口部１２から合流部１０に最も排水流量が多い浴槽１の排水が合流部１０に流れる際に第３排水路９の出口部１４から逆流するおそれがあるが、この場合、第３排水路９の上流側と下流側との間に段差１６ｂがあるので、逆流を防止でき、更に、仕切り壁１６ａがあるので、ここでも逆流防止が図れることになる。
【００６０】
なお、合流部１０における出口部１２、１３間の壁部分、出口部１３、１４間の壁の端部分を軟質素材で形成したり、あるいは、ヒンジ手段により可動自在なフィンにより形成すると、排水流量により出口部１２、１３、１４の面積を可変でき、最適流量調整が可能となり、また、これにより、ある出口部からの排水流量が多くなって開口面積が大きくなると隣の出口部の開口面積が小さくなるので、よりいっそう隣の出口部からの逆流が防止できる。
【００６１】
この場合、正圧がかかった場合や逆流時にフィンにより出口部を閉じるようにしてもよい。
【図面の簡単な説明】
【００６２】
【図１】本発明の浴室の排水構造の断面図である。
【図２】同上に用いるトラップ装置の断面図である。
【図３】同上に用いるトラップ装置の浴槽床パン用排水トラップ部の上流側水溜め部の水面と下流側水溜め部の水面及び排出ガイド部が現れる部分における断面図である。
【図４】（ａ）は同上のトラップ装置において洗い場側封水筒を省略した状態の一側面側から見た斜視図であり、（ｂ）は他側面側から見た斜視図である。
【図５】同上のトラップ装置において浴槽側固定用上筒、浴槽側封水筒、本体蓋、洗い場側固定用上筒、洗い場側封水筒を省略した状態の平面図である。
【図６】同上のトラップ装置の下流側から見た正面図である。
【図７】同上に用いる浴槽側トラップ本体を示し、（ａ）は斜視図であり、（ｂ）は平面図であり、（ｃ）は正面図であり、（ｄ）は側面図である。
【図８】同上に用いる浴槽側封水筒の斜視図である。
【図９】同上に用いる洗い場側トラップ本体部を示し、（ａ）は斜視図であり、（ｂ）は平面図であり、（ｃ）は正面図であり、（ｄ）は側面図である。
【図１０】同上に用いる本体蓋の斜視図である。
【符号の説明】
【００６３】
１  浴槽
２  浴槽排水トラップ部
３  浴槽用床パン
４  浴槽床パン用排水トラップ部
４ａ  封水用水溜り
４ｃ  上流側水溜り部
４ｄ  下流側水溜り部
４ｅ  連通部
４ｆ  底部
４ｇ  下端開口部
４ｈ  小間隙
４ｉ  排出ガイド部
４ｊ  小隙間
４ｋ  天井部
７  第１排水路
８  第２排水路
８ａ  入口部
１０  合流部
１１  排水管
【図１】
0004529938.tif 000002
【図２】
0004529938.tif 000003
【図３】
0004529938.tif 000004
【図４】
0004529938.tif 000005
【図５】
0004529938.tif 000006
【図６】
0004529938.tif 000007
【図７】
0004529938.tif 000008
【図８】
0004529938.tif 000009
【図９】
0004529938.tif 000010
【図１０】
0004529938.tif 000011